(57)【要約】【課題】  剛性が高い合成樹脂製ケース組み付け時の破損を抑えた移動物体検出装置を提供する。【解決手段】  本発明に係る移動物体検出装置１は、磁力変化を電気信号に変換する検出部２を実装するＰＢＴ（ポリブチレンテレフタレート）等の靭性に優れた合成樹脂からなるケース４と、ケース４を内蔵する収納空間５ｃを備えたＰＰＳ（ポリフェニレンサルファイド）等の剛性に優れた合成樹脂からなるカバー５と、を備えたものであり、ケース４とカバー５とが係止される係合部４ｄ，５ｇを備え、ケース４の係合部４ｄを変形可能部４ｅに設けることを特徴とするものである。【選択図】図３
2018004287.tif 000002
【特許請求の範囲】
【請求項１】
磁力変化を電気信号に変換する検出部を実装する合成樹脂製のケースと、
前記ケースを内蔵する収納空間を備えたカバーと、
を備えた移動物体検出装置であって、
前記ケースと前記カバーとが係止される係合部を備え、
前記ケースの前記係合部を変形可能部に設けること
を特徴とする移動物体検出装置。
【請求項２】
前記係合部は、突部とこの突部に対応する形状の切り欠き部とからなり、前記係合部を複数個所に設けることを特徴とする請求項１に記載の移動物体検出装置。
【請求項３】
前記ケースの前記係合部は前記突部であり、前記カバーの前記係合部は切り欠き部であることを特徴とする請求項１または請求項２に記載の移動物体検出装置。
【発明の詳細な説明】
【技術分野】
【０００１】
本発明は、移動物体検出装置に関するものである。
【背景技術】
【０００２】
従来の移動物体検出装置は、例えば特許文献１に開示されるように、ホルダとケースとに形成された凹凸形状によって、ホルダとケースを嵌合固定するものが提案されている。
【先行技術文献】
【特許文献】
【０００３】
【特許文献１】特開２００６−３０８４３５号公報
【発明の概要】
【発明が解決しようとする課題】
【０００４】
しかしながら、このような移動物体検出装置に剛性の高い合成樹脂製のケースを用いた場合には、組み付け時にケースが割れる虞があり、剛性を高める上で改善の余地があった。
【０００５】
本発明は、上記問題点に鑑みてなされたものであり、剛性が高い合成樹脂製ケース組み付け時の破損を抑えた移動物体検出装置を提供することを目的とする。
【課題を解決するための手段】
【０００６】
本発明に係る移動物体検出装置１は、磁力変化を電気信号に変換する検出部２を実装する合成樹脂製のケース４と、ケース４を内蔵する収納空間５ｃを備えたカバー５と、を備え、ケース４とカバー５とが係止される係合部４ｄ，５ｇを備え、ケース４の係合部４ｄを変形可能部４ｅに設けることを特徴とする。
【０００７】
係合部は、突部４ｄとこの突部４ｄに対応する形状の切り欠き部５ｇとからなり、係合部を複数個所に設けることを特徴とする。
【０００８】
ケース４の係合部は突部４ｄであり、カバーの係合部は切り欠き部５ｇであることを特徴とする。
【発明の効果】
【０００９】
本発明によれば、剛性が高い合成樹脂製ケース組み付け時の破損を抑えた移動物体検出装置を提供することができる。
【図面の簡単な説明】
【００１０】
【図１】本発明の第１実施形態を示す移動物体検出装置の側面図。
【図２】図１のＡ−Ａ断面図。
【図３】同実施形態を図１に示す上方（Ｕｐ側）から見た図。
【図４】同実施形態におけるカバー組み付け前の図。
【図５】図４におけるカバー組み付け後の図。
【図６】図２のＢ−Ｂ断面におけるカバーを示す図。
【図７】変形可能部の要部拡大図（変形例）を示す図。
【発明を実施するための形態】
【００１１】
以下、本発明が自動車の移動物体検出装置として適用された実施の形態について添付図面を用いて説明する。
【００１２】
移動物体検出装置１は、図１，２に示すように、検出部２と、回路基板３と、中ケース（ケース）４と、外ケース（カバー）５とから主に構成される。
【００１３】
検出部２は、磁石２ａと、磁気検出手段２ｂとから構成されるものである。磁石２ａは、円柱状あるいは角柱状をなし、磁気検出手段２ｂに接している。磁気検出手段２ｂは、ホールＩＣや磁気抵抗素子（ＭＲ素子）等からなるものであり、歯車や専用ロータ等の磁性材料からなる被検出体の回転や移動に伴う磁力の変化（磁石２ａが発する磁力の変化）を検出するもので、磁石２ａに硬化型接着剤を介して配設される。
【００１４】
回路基板３は、ガラス繊維入りエポキシ樹脂材やセラミック等の絶縁基板に所定の配線パターンが形成されてなる硬質回路基板からなり、磁気検出手段２ｂのノイズ吸収用コンデンサや信号増幅回路等の各種電子部品（図示しない）が実装されている。回路基板３の一端側は、略Ｌ字状に折り曲げ形成された磁気検出手段２ｂのリード２ｂ１が半田等を介して電気的に接続され、また他端側は、後述するリード端子が半田等を介して電気的に接続されている。従って、磁気検出手段２ｂにより検出された検出信号は、回路基板３から前記リード端子に伝わり外部に出力される。
【００１５】
中ケース４は、ＰＢＴ（ポリブチレンテレフタレート）等の靭性に優れた合成樹脂材料から構成され、図２で示すように、ヘッド部４ａと、ボディ部４ｂと、コネクタ部４ｃとを一体に備えている。また、図３，図４，図５で示すように、突部（係合部）４ｄと、変形可能部４ｅと、凹部４ｆとが備えられ、中ケース４のボディ部４ｂに凹部４ｆを有することによって、ボディ部４ｂの外周側に、肉厚の薄い変形可能部４ｅが形成され、この変形可能部４ｅに外ケース５を係止するための突部４ｄが設けられる。変形可能部４ｅは、弾性変形によって、凹部４ｆ側に撓むことができ、この撓み位置の外側に突部４ｄが設けられ、突部４ｄを移動可能にする。
【００１６】
ヘッド部４ａには、磁石２ａを埋設するための収容部４ａ１と、回路基板３を配設するための載置部４ａ２とが形成され、載置部４ａ２は、収容部４ａ１の底面と略直交する位置関係をなしている。回路基板３は、載置部４ａ２に硬化型接着剤を介して配設固定され、また、磁石２ａは、収容部４ａ１に硬化型接着剤を介して配設固定される。
【００１７】
ボディ部４ｂには、導電性材料から形成されるリード端子４ｂ１がインサート成形されている。リード端子４ｂ１は、その両端部が略Ｌ字状に折り曲げ形成され、一端が回路基板３と電気的に接続され、また他端がコネクタ部４ｃへ引き出し案内されている。
【００１８】
コネクタ部４ｃは、雄型コネクタ構造をなし、ボディ部４ｂに対して垂直方向に折り曲げ形成されおり、中ケース４を外ケース５の後述する収納空間に挿入する方向に対し直交方向に屈曲している。図示しない雌型コネクタがリード端子４ｂ１の前記他端に接続可能な形状をなしている。
【００１９】
外ケース５は、ＰＰＳ（ポリフェニレンサルファイド）やＬＣＰ（液晶ポリマー）等の剛性や耐熱性に優れた合成樹脂材料から構成され、図２，図６に示すように、断面形状が略コの字状をなし、一端に開口５ａを備え、他端に底部５ｂを設ける円筒のカップ形状からなり、検出部２，回路基板３及び中ケース４を収納する収納空間５ｃを有する。外ケース５は、磁気検出手段２ｂの磁石２ａとの非接触面である磁気検出面に当接する底部５ｂが、側壁部５ｄに比べて薄肉になるように形成され、この底部５ｂは、移動物体検出装置１の検出面となる。
【００２０】
また、図４に示すように、外ケース５は、中ケース４に係止するための係合部５ｇを備えている。中ケース４の係合部は突部４ｄであり、外ケース５の係合部は貫通した孔からなる切り欠き部５ｇである。中ケース４に外ケース５を係止する際に、外ケース５に接触した複数の突部４ｄが接触することによって押された変形可能部４ｅが凹部４ｆ側（内側）に変形した後、突部４ｄと切り欠き部５ｇとが嵌合し、変形可能部４ｅが外側に復元することによって係止状態となる。また、中ケース４が変形することで、外ケース５が変形せずに済むため剛性の高い材質や形状を適用できるだけでなく、割れにくい。
【００２１】
また、図１，図３に示すように、外ケース５は、その側壁部５ｄのＸ方向先端部に被取付部１００に取り付けるための取付部５ｅを有し、その取付部５ｅには金属材料からなるリング状の補強部材５ｆがインサート成形されている。
【００２２】
以上の各部によって移動物体検出装置１が構成されている。図３に示すように、中ケース４の係合部４ｄを変形可能部４ｅに設けたことによって、剛性が高い外ケース５を用いることができ、剛性の高い移動物体検出装置とすることができる。また、凹部４ｆを設けることによって、中ケース４を成形する際に樹脂ヒケを低減できるため、寸法精度の高い筐体となる。
【００２３】
また、突部４ｄとこの突部４ｄに対応する形状の切り欠き部５ｇとからなる係合部を複数個所に設けることによって、外ケースが外れにくくなる効果が期待できる。
【００２４】
また、ケース４の係合部を突部４ｄ、カバー５の係合部を切り欠き部５ｇとすることによって、組み付けやすく外れにくくなる効果が期待できる。
【００２５】
本発明は、上述実施形態に限定するものではなく、種々の変形が可能である。例えば、上述実施形態では、収納空間５ｃの処理に言及していないが、エポキシ樹脂やシリコーン樹脂による充填部材を、中ケース４を挿入した外ケース５の収納空間５ｃに充填し、収納空間５ｃを気密的に封止することで、気密性に優れた移動物体検出装置となる効果が期待できる。
【００２６】
また、上述実施形態では、中ケース４の係合部が突部、カバー５の係合部が切り欠き部の場合を例示したが、中ケースに切り欠き部、カバーに突部を設ける構造としても、剛性に優れた移動物体検出装置となる効果が期待できる。
【００２７】
また、上述実施形態では、ボディ部４ｂに凹んだ穴である凹部４ｆを設けることによって、ボディ部４ｂの外周側に肉厚の薄い変形可能部４ｅを形成する場合を例示したが、図７に示すように、凹部４ｆ１がボディ部４ｂの外周に達した溝形状とし、変形可能部４ｅ１を弾性片状に形成する構造としても、同様の効果が期待できる。
【産業上の利用可能性】
【００２８】
本発明は、ハウジングに被検出体への取付部を備えた移動物体検出装置に利用可能である。
【符号の説明】
【００２９】
１      移動物体検出装置
２      検出部
２ａ    磁石（検出部）
２ｂ    磁気検出手段（検出部）
２ｂ１  リード
３      回路基板
４      中ケース（ケース）
４ａ    ヘッド部
４ａ１  収容部
４ａ２  載置部
４ｂ    ボディ部
４ｂ１  リード端子
４ｃ    コネクタ部
４ｄ    突部（係合部）
４ｄ１  突部（係合部）
４ｅ    変形可能部
４ｅ１  変形可能部
４ｆ    凹部
４ｆ１  凹部
５      外ケース（カバー）
５ａ    開口
５ｂ    底部
５ｃ    収納空間
５ｄ    側壁部
５ｅ    取付部
５ｆ    補強部材
５ｇ    切り欠き部（係合部）
１００      被取付部
２００      ボルト
【図１】
2018004287.tif 000003
【図２】
2018004287.tif 000004
【図３】
2018004287.tif 000005
【図４】
2018004287.tif 000006
【図５】
2018004287.tif 000007
【図６】
2018004287.tif 000008
【図７】
2018004287.tif 000009